(57)【要約】【課題】生ゴミ投入口の形状が速やかに且つ安定して保持されることによって、生ゴミの投入作業に係る効率や安全性が向上される、新規な構造の生ゴミ処理用袋状体を提供する。【解決手段】不透水性で通気性を有する素材で形成された筒状体１２に対して、手作業で塑性変形可能な環状保持体１６が筒状体１２の両側開口部１４ａ，１４ｂにそれぞれ装着されており、筒状体１２の一方の開口部１４ａを閉塞せしめて内部に生ゴミ処理基材２４を収容せしめた状態下で他方の開口部１４ｂを環状保持体１６で開口状態に維持させて生ゴミ投入口とすることができるようにし、筒状体１２の全体を天地反転させて使用可能とした。【選択図】図１
2009112898.tif 000002
【特許請求の範囲】
【請求項１】
不透水性で通気性を有するシート状の素材で形成された筒状体に対して、手作業で塑性変形可能な環状保持体が該筒状体の両側開口部にそれぞれ装着されており、該筒状体の一方の開口部を閉塞せしめて内部に生ゴミ処理基材を収容せしめた状態下で他方の開口部を該環状保持体で開口状態に維持させて生ゴミ投入口とすることができるようにしたことを特徴とする生ゴミ処理用袋状体。
【請求項２】
前記筒状体の両側開口部に巻き付けられることにより、該筒状体の軸方向で前記環状保持体よりも内側を絞って閉塞させる一対の締付紐を設けた請求項１に記載の生ゴミ処理用袋状体。
【請求項３】
前記筒状体が、建築用のハウスラップを用いて形成されている請求項１又は２に記載の生ゴミ処理用袋状体。
【請求項４】
前記筒状体の表面において、開口部よりも本体側に所定距離だけ離れた位置で周方向に延びる目視可能なラインを表示した請求項１乃至３の何れか一項に記載の生ゴミ処理用袋状体。
【請求項５】
前記筒状体に対して開口部から差し入れて前記生ゴミ処理基材をかき混ぜることの出来る攪拌具を組み合わせて構成されている請求項１乃至４の何れか一項に記載の生ゴミ処理用袋状体。
【請求項６】
請求項１乃至５の何れか一項に記載の生ゴミ処理用袋状体を用いて、該生ゴミ処理用袋状体における前記筒状体の一方の開口部を閉塞して該一方の開口部を下にして置いておき、置いた状態で該筒状体の上側の他方の開口部を前記環状保持体で開口状態に維持することで前記生ゴミ投入口として該他方の開口部の開口状態で生ゴミを投入してから該環状保持体を塑性変形させて閉塞状態に維持する作業を適数回繰り返し、その後、それら両側開口部を閉塞した状態で該袋状体の天地方向を逆にして該他方の開口部を下にして置いておき、置いた状態で該筒状体の上側の該一方の開口部を該環状保持体で開口状態に維持することで該生ゴミ投入口として該一方の開口部の開口状態で該生ゴミを投入してから該環状保持体を塑性変形させて閉塞状態に維持する作業を適数回繰り返し、更に、これら一方の開口部と他方の開口部をそれぞれ該生ゴミ投入口として該生ゴミを投入する作業を適数回繰り返すことを特徴とする生ゴミ処理方法。
【請求項７】
前記生ゴミの投入に際して、前記生ゴミ投入口から２／３以下の深さの範囲内で攪拌する請求項６に記載の生ゴミ処理方法。
【発明の詳細な説明】
【技術分野】
【０００１】
本発明は、生ゴミを微生物で分解処理する技術に係り、特に生ゴミの微生物による分解処理を一般家庭等においても容易に行うことの出来る新規な構造の生ゴミ処理用袋状体および新規な生ゴミ処理方法に関するものである。
【背景技術】
【０００２】
従来から、家庭等で排出される生ゴミを処理する方法の一種として、土中の好気性微生物を利用し、或いは好気性微生物が付着した生ゴミ処理基材を生ゴミに混合することによって、かかる好気性微生物で生ゴミを発酵分解処理することが知られている。
【０００３】
具体的に、生ゴミを発酵分解処理するには、例えば、生ゴミ処理基材を混ぜた生ゴミを屋外に置いて発酵させる手段がある。しかし、生ゴミを単に屋外に置いておくだけでは、悪臭が漂って虫の発生原因の元となるだけでなく、風雨に晒されて条件が変化することにより目的とする発酵分解処理の効率が低下し易い等という問題があった。
【０００４】
かかる問題に対処するために、例えば、特許文献１（特開平０８−５３２０３号公報）に記載されているように、下方に開口した逆向きの袋体で用い、地上に堆積させた生ゴミに対してこの袋体を上方から被せて覆うことにより、悪臭の拡散を抑えつつ堆肥化を図ることも考えられる。
【０００５】
しかしながら、特許文献１に記載の袋状体は、単に、地上に堆積させた生ゴミの表面だけを覆うに過ぎない。それ故、切り返し等の混合作業が出来ず、微生物による生ゴミの分解効率が悪いという問題があった。
【０００６】
また、特許文献２（特開２００３−３３５５９５号公報）に記載されているように、生ゴミと微生物付着基材とを予め混合したものを通気性の袋体に入れて閉じ、この袋体の内部で発酵分解処理させることも考えられる。このように、袋体に入れたままで発酵分解処理させることにより、袋体を天地反転させたり転動させることにより、地上での切り返しに類似の効果を得ることが可能となって、良好な作業効率のもとで切り返しによる分割効率の向上が図られ得ると記載されている。
【０００７】
ところが、これら特許文献１，２に記載されている如き従来構造の袋体は、何れも、所定量の生ゴミを収容状態で密封し、微生物分解が完了するまで開放しないでおくものに過ぎない。従って、例えば毎日少量ずつ発生する家庭内生ゴミ等への対応が極めて困難である。かかる家庭用生ゴミ等のように毎日発生する生ゴミの処理に対応しようとすると、たとえ微生物による生ゴミの発酵分解が１０日で完了するとしても１０個の袋体を並べて順次に使用して行くことが必要となってしまって現実的でない。
【０００８】
なお、引用文献１に記載の袋体は、下側の開口部に加えて、上側にも閉塞可能な開口部を備えているが、この上側の開口部は単に樹脂製の市販の生ゴミ保持筒体を抜き取るためのものに過ぎない。また、引用文献２に記載の袋体も、下側の開口部に加えて、上側にも閉塞可能な開口部を備えているが、この上側の開口部は単に注水や通気を行って湿度等の内部環境を調節するためのものに過ぎない。
【０００９】
【特許文献１】特開平０８−５３２０３号公報
【特許文献２】特開２００３−３３５５９５号公報
【発明の開示】
【発明が解決しようとする課題】
【００１０】
ここにおいて、本発明は、上述の如き事情を背景として為されたものであって、その解決課題とするところは、（ｉ）家庭用生ゴミ等のように少しずつ連続的に発生する生ゴミを順次に投入して処理することが容易に実施可能とされると共に、（ｉｉ）家庭用生ゴミ等のように少しずつ連続的に発生する生ゴミを効率的に処理することが出来る、新規な構造の生ゴミ処理用袋状体および新規な生ゴミ処理方法を提供することにある。
【課題を解決するための手段】
【００１１】
以下、このような課題を解決するために為された本発明の態様を記載する。なお、以下に記載の各態様において採用される構成要素は、可能な限り任意な組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１２】
すなわち、本発明の特徴とするところは、不透水性で通気性を有するシート状の素材で形成された筒状体に対して、手作業で塑性変形可能な環状保持体が筒状体の両側開口部にそれぞれ装着されており、筒状体の一方の開口部を閉塞せしめて内部に生ゴミ処理基材を収容せしめた状態下で他方の開口部を環状保持体で開口状態に維持させて生ゴミ投入口とすることができるようにした生ゴミ処理用袋状体にある。
【００１３】
このような本発明に従う構造とされた生ゴミ処理用袋状体においては、環状保持体が、手作業で塑性変形可能である程度に、形状の保持機能をもっている。この形状保持機能を利用して、筒状体の両側開口部を、それぞれ開口状態または閉塞状態に簡単に維持することが出来る。
【００１４】
これにより、例えば、筒状体の一方の開口部に装着された環状保持体を変形させることで筒状体の一方の開口部を閉じることによって、筒状体の底部を形成して有底の袋状体を構成することが出来る。そして、かかる有底の袋状体において、他方の開口部では、そこに装着された環状保持体を環状に広げることで他方の開口部を生ゴミ投入口として開いた状態に保持せしめ、この投入口から生ゴミ処理基材や生ゴミを投入することが出来る。また、生ゴミ投入口も、環状保持体を変形させることで、速やかに閉塞状態とすると共に、かかる閉塞状態に保持させることも可能である。
【００１５】
なお、かかる筒状態の両側の開口部における閉塞状態は、かかる環状保持体の塑性変形によるだけでなく、それに加えて、後述するように、別途準備した紐等を袋状体の開口部付近に巻き付けて縛ること等によって、一層強固に且つ確実に実現可能である。
【００１６】
また、かかる筒状体は、その天地方向を逆にすると共に、筒状体の一方の開口部を開き、且つ他方の開口部を閉じることによって、生ゴミ投入口と底部の位置を筒状体の両側で相互に代えて、生ゴミ等を筒状体の一方の側から投入することも可能となる。即ち、本構造によれば、生ゴミ投入口と底部を、生ゴミの処理態様や袋状体の使用条件等に応じて袋状体の両側で交代させることが出来るのである。
【００１７】
また、筒状体の開口部の形状安定性に基づき、例えば、作業員が片手で環状保持体や開口縁部等を持ちながら、もう片方の手で生ゴミを投入することも出来る。要するに、環状保持体が形状保持機能をもっていることから、作業者はこの環状保持体を持つことで、袋状体の開口部を持ち上げて筒状体の開口部を一方ので筒状に保持せしめて維持することが出来るのであり、かかる開口保持状態下で、他方の手で生ゴミを袋状体に投入することが可能となるのである。これによって、袋状体の外への生ゴミのこぼれ出しを防止つつ、生ゴミの袋状体への投入作業を一人でも簡単に行うことも出来る。
【００１８】
さらに、袋状体としてシート状のものを採用したことにより、環状保持体の装着部位を除いた部分では、良好な柔軟性が確保され得る。それ故、生ゴミや生ゴミ処理基材の投入量等に対応して任意に変形することとなる。これにより、生ゴミや生ゴミ処理基材が効率良く即ちコンパクトに収容され得る。また、袋状体を使用しない時には、袋状体を小さく畳むことが出来ることに加え、塑性変形可能な環状保持体の形状保持機能を利用して、袋状体を小さく畳んだ状態に保持することも容易に出来る。それ故、特別な形状保持具を別途採用しなくとも袋状体を小さく畳んだ状態に保持することが出来て、持ち運び等の取扱いが容易となり、収納も効率的に出来ると共に、流通コストも抑えられる。尤も、必要に応じてバンドや紐，ケース等の形状保持具を併せて採用し、袋状体をより小さく折り畳んだ状態に保持させることも可能である。
【００１９】
また、筒状体が通気性で且つ不透水性を有するシート材で形成されていることから、筒状体の内部の湿度や温度が略一定に保たれて、好気性条件に適した環境が保護される。その結果、好気性微生物による生ゴミの発酵分解処理が効率良く実現され得る。
【００２０】
また、本発明に係る生ゴミ処理用袋状体では、筒状体の両側開口部に巻き付けられることにより、筒状体の軸方向で環状保持体よりも内側を絞って閉塞させる一対の締付紐を設けた構造が、採用されても良い。このような構造によれば、筒状体の開口部の閉塞状態が一層安定する。また、袋状体を使用する迄の収納や流通の状態では、小さく折り畳んだ袋状体をかかる締付紐で縛っておくことで、袋状体を折り畳み状態に保持せしめるようにしても良い。
【００２１】
また、本発明に係る生ゴミ処理用袋状体では、筒状体が、建築用のハウスラップを用いて形成されている構造が、採用されても良い。ハウスラップは、省エネルギーの意識向上等に伴う研究開発によってその性能が近年飛躍的に向上しており、特に高度な不透水性又は防水性や通気性、耐熱性等が実現されており、建築用資材として大量に経済的に供給されてきている。このような建築用資材であるハウスラップを、全く技術分野の異なる生ゴミ処理技術に係る本発明において別用途として利用することにより、本発明の実用化が極めて効率的に実現可能となるのである。
【００２２】
すなわち、ハウスラップでは、不透水性（防水性）や通気性、耐熱性等に優れていることによって、それを用いた袋状体の内部では、湿度や温度等の好気性条件が安定して保持されることに加え、ハウスラップが高強度な素材で形成されていることにより袋状体の耐久性や強度が十分に確保される。特にハウスラップの断熱性を利用すると、微生物の発酵熱による温度が袋状体の内部で好適に保持されることとなり、袋状体を冬の外気に晒しても目的とする発酵分解処理が効率的に行われる。要するに、本態様では、ハウスラップが生ゴミ処理用袋状体の素材に適していることを見出した点に大きな技術的特徴を有するのであり、それによって、不透水性や通気性、耐熱性、耐久性等の物性に優れた生ゴミ処理用袋状体が、簡単に且つ低コストで実現可能となるのである。
【００２３】
また、本発明に係る生ゴミ処理用袋状体では、筒状体の表面において、開口部よりも本体側に所定距離だけ離れた位置で周方向に延びる目視可能なラインを表示した構造が、採用されても良い。このような構造によれば、例えばラインを生ゴミ収容制限ラインとして用い、生ゴミを袋状体の底部からラインまで投入可能とすることによって、使用時の目安となって使用者に安心感を与えることが出来ると共に、使用条件の均一化を図ることにより、目的とする生ゴミの分解処理をより安定して発揮せしめることが可能となる。また、例えばラインを前述の締付紐の固定用ラインとして用いることによって、筒状部の開口部の締付紐による閉塞状態の確実性の向上を図ったり、締付紐の使用を促したりする効果も期待できる。
【００２４】
さらに、本発明の生ゴミ処理用袋状体においては、生ゴミ処理用袋状体の筒状体に対して開口部から差し入れて生ゴミ処理基材をかき混ぜることの出来る攪拌具を、組み合わせて販売し、利用するようにしても良い。
【００２５】
このような攪拌具を組み合わせてセットとした生ゴミ処理用袋状体においては、攪拌具を装備させることで使用者に対して生ゴミ処理基材及び生ゴミの攪拌行為を促すことが出来ると共に、かかる攪拌を容易に且つ効率的に行わしめることが可能となる。そして、生ゴミや生ゴミ処理基材がかき混ぜられることにより、袋状体に投入した生ゴミと処理基材が効率的に混合されることとなり、生ゴミの分解処理効率の向上等が発揮され得る。
【００２６】
特に、本発明では、袋状体の開口部に環状保持体が装着されていることにより、上記攪拌具等による内部攪拌を容易に行うことが出来るという特別の効果も発揮し得る。即ち、攪拌具等で内部攪拌を行うに際しても、袋状体の開口部の形状安定性が環状保持体によって確保されていることから、袋状体の一部が下方に垂れ下がってそこから基材や生ゴミが外部にこぼれ落ちるようなこともない。
【００２７】
さらに、攪拌具等を袋状体の上部開口から差し入れて、その柄の部分だけを袋状体の上部開口から外部に突出させた状態で、環状保持体を塑性変形させて袋状体の上部開口を閉塞させることも出来る。そのような閉口状態で攪拌具等を回動操作等することにより、袋状体に収容された基材や生ゴミの上部開口からのこぼれ出しを略完全に防止しつつ、基材や生ゴミを充分に攪拌することが可能となるのである。
【００２８】
また、本発明に係る生ゴミ処理用袋状体によれば、袋状体の両側に開口部が設けられており、任意の一方の開口部を閉塞状態に保持せしめて下方に位置させることで底部を構成すると共に、上方に位置せしめた他方の開口部を開閉可能な投入口とすることが出来る。しかも、袋状体の両側開口部は、開状態と閉状態を繰り返して発現させることが出来ることから、天地を返すことで、交互に底部と投入口として両側開口部を利用することが可能である。そして、開口部から底部に向けて半分以下の領域だけを利用して生ゴミの投入と攪拌による発酵分解処理を行うこととし、少量ずつの投入を数日間に亘って行ったあと、袋状体を天地返しして、他方の開口部から底部に向けて半分の領域だけを利用して生ゴミの投入と攪拌による発酵分解処理を行うといった態様で、天地返しを適当な周期で繰り返して利用することが出来る。
【００２９】
このような利用方法によれば、生ゴミ処理基材に対して投入された生ゴミの量が飽和状態に近くなったり、異臭が発生したりする時期において、その生ゴミ投入領域を最底部に容易に且つ効率的に移動させることが出来、その後、天地反転させた開口部側の未使用の基材部分或いは生ゴミ分解処理が完了した領域の基材部分を利用して、新たな投入生ゴミと接触させて分解処理を行わせることが可能となる。それ故、生ゴミの発酵分解処理が、効率良く実現されると共に、開口部を開口させた際の異臭の放散も抑えることが可能となる。しかも、例えば攪拌具を用いて基材を攪拌するに際しても、生ゴミを投入した上部だけを攪拌し、少なくとも深さ方向の半分よりも底部側までを攪拌する必要がなくなることから、たとえ深底の袋状体を採用する場合でも、天地反転操作で収容基材の全体を有効に利用しつつ、攪拌操作の作業労力の軽減が図られる。
【００３０】
なお、本構造では、攪拌具の長さ寸法が、筒状体の開口部から底部に至る軸方向長さの２／３以下とされていることが望ましい。これにより、筒状体の開口部から底部までを一度に攪拌することが防止されて、前述の如く一方の開口部から底部に至らない部分までを攪拌すると共に、袋状体を天地返しして、他方の開口部から底部に至らない部分までを攪拌する態様が有利に実現可能となる。
【００３１】
更にまた、生ゴミ処理方法に関する本発明の特徴とするところは、前述の本発明に係る生ゴミ処理用袋状体を用いて、該生ゴミ処理用袋状体における筒状体の一方の開口部を閉塞して一方の開口部を下にして置いておき、置いた状態で筒状体の上側の他方の開口部を環状保持体で開口状態に維持することで生ゴミ投入口として他方の開口部の開口状態で生ゴミを投入してから環状保持体を塑性変形させて閉塞状態に維持する作業を適数回繰り返し、その後、それら両側開口部を閉塞した状態で袋状体の天地方向を逆にして他方の開口部を下にして置いておき、置いた状態で筒状体の上側の一方の開口部を環状保持体で開口状態に維持することで生ゴミ投入口として一方の開口部の開口状態で生ゴミを投入してから環状保持体を塑性変形させて閉塞状態に維持する作業を適数回繰り返し、更に、これら一方の開口部と他方の開口部をそれぞれ生ゴミ投入口として生ゴミを投入する作業を適数回繰り返す生ゴミの処理方法にある。
【００３２】
本発明に従う生ゴミの処理方法によれば、適当な周期で袋状体を天地返しすることによって、前述の如く、深さ方向の開口部から所定深さ領域を交互に所定期間毎に生ゴミ投入領域とすると共に、深さ方向の底部から所定深さ領域を交互に所定期間毎に生ゴミ発酵分解処理領域とすることが出来る。それ故、天地反転操作で収容基材の全体を有効に活用して効率的な生ゴミ分解処理を実現せしめつつ、攪拌操作の作業労力の軽減が図られ得るのである。
【００３３】
また、本発明に係る生ゴミの処理方法では、生ゴミの投入に際して、生ゴミ投入口から２／３以下の深さの範囲内で攪拌する方法が、採用されても良い。このような方法によれば、一方の開口部から底部に至らない部分までを攪拌すると共に、袋状体を天地返しして、他方の開口部から底部に至らない部分までを攪拌する態様が好適に採用される。より好適には、生ゴミ投入口とされた上側の開口部から深さ方向に半分以下の領域で、攪拌操作するようにされる。
【発明を実施するための最良の形態】
【００３４】
以下、本発明を更に具体的に明らかにするために、本発明の実施形態について説明する。先ず、図１には、本発明の生ゴミ処理用袋状体に係る第一の実施形態としての処理袋１０が示されている。この処理袋１０は、筒状体１２を含んで構成されている。
【００３５】
より詳細には、筒状体１２は、薄肉の略円筒形状を有している。特に本実施形態では、筒状体１２の素材として建築用のハウスラップが用いられている。ハウスラップには、例えば、デュポン株式会社製のタイベック（商品名）や東洋紡績株式会社製のエクーレ（商品名）、旭化成せんい株式会社製のエルタス（商品名）、東レ株式会社製のアクスター（商品名）等が採用される。かかるハウスラップは、０．５〜１０ミクロン程度のポリエチレンからなる極細長繊維の多数に高熱を加えることでそれら多数の極細長繊維を結合させてなる不織布とされており、防水性や通気性、耐熱性、耐久性等に優れている。それによって、ハウスラップからなる筒状体１２には、防水性や通気性、耐熱性、耐久性等が十分に備わっている。また、ハウスラップが薄肉の不織布からなることにより、筒状体１２が変形容易な柔軟性を備えている。このようなハウスラップを用いて円筒形状の筒状体１２を形成するには、例えば、薄肉の矩形状を有するハウスラップを幅方向に湾曲させて幅方向両端部分を相互に重ね合わせて縫合することにより実現される。
【００３６】
また、筒状体１２の両側開口部１４ａ，１４ｂの周縁部には、環状保持体としての口金１６がそれぞれ設けられている。口金１６は、銅線等の細い線条の金属材からなる針金が周方向に連続して延びた環状を呈していると共に、手作業で塑性変形可能な程度の塑性を有している。この口金１６が筒状体１２に装着されない状態下、筒状体１２の各開口部１４の端縁部よりも本体側に位置して、筒状体１２の内周面に沿って配されると共に、筒状体１２における各開口部１４の端縁部から口金１６を配した部分が筒状体１２の内側に向かって折り曲げられて、端縁部が口金１６よりも本体側の内周面に重ね合わせられて縫い糸１８で縫合される。これにより、筒状体１２の開口部１４の端部側には、全周に亘って連続して延びる環状の隙間が形成されることとなり、かかる環状の隙間内に口金１６が収容配置されることで、口金１６が筒状体１２に装着されている。この口金１６の塑性変形に基づいて、筒状体１２の両側開口部１４ａ，１４ｂを、手作業で任意の形状に塑性変形することが出来る。本実施形態では、これら一対の口金１６，１６と筒状体１２を含んで処理袋１０が構成されている。
【００３７】
それによって、例えば、図２にも示されているように、筒状体１２における一方（図２中、上）の開口部１４ａ側の口金１６を大径の円環形状を呈するように塑性変形させることによって、筒状体１２の一方の開口部１４ａが、大きな円形状を呈するように開口状態が維持される。
【００３８】
また、筒状体１２の他方（図２中、下）の開口部１４ｂが、口金１６の塑性変形により閉塞状態が維持されている。具体的に、例えば、筒状体１２の他方の開口部１４ｂの縁部において、中心軸を挟んだ一幅方向で対向位置せしめられる二箇所を折り曲げて、縁部の内側が重なり合うように口金１６を塑性変形させると共に、開口部１４の重なり合った縁部が略直線状に延びる方向で複数回折り畳むように口金１６を塑性変形させたり、或いは渦巻き状に湾曲するように塑性変形させたりすることで、筒状体１２の他方の開口部１４ｂが、絞り込まれるようにして閉塞状態が維持される。このように筒状体１２の他方の開口部１４ｂが閉塞されることによって、筒状体１２の底部が形成されることとなり、筒状体１２の一方の開口部１４ａから後述する生ゴミや生ゴミ処理基材を投入して、筒状体１２内に堆積することが可能となる。このことからも明らかなように、図２に示される形態では、筒状体１２の一方の開口部１４ａが、口金１６で開口状態に維持されて、生ゴミ投入口とされている。
【００３９】
また、本実施形態に係る筒状体１２では、形状や大きさが同じ両側開口部１４ａ，１４ｂに同一構造の口金１６が設けられることにより、両端部分が対称的な構造とされている。それ故、例えば、図２に示される形態とは逆に、筒状体１２の一方の開口部１４ａを口金１６の塑性変形で閉塞状態に維持すると共に、他方の開口部１４ｂを口金１６の塑性変形で開口状態に維持することも勿論可能である。
【００４０】
また、例えば、図３にも示されているように、筒状体１２の一方（図３中、上）の開口部１４ａ側の口金１６も他方（図３中、下）の開口部１４ｂ側の口金１６と同様に塑性変形させて、一方の開口部１４ａを閉塞状態に維持させることによって、筒状体１２の両側開口部１４ａ，１４ｂを閉塞し、筒状体１２の内部を密閉状態に保持することが可能となる。
【００４１】
さらに、本実施形態に係る処理袋１０は、例えば図４にも示されているように、小さく畳むことも可能である。即ち、図４に示される形態では、図１に示されるように筒状体１２の両側開口部１４ａ，１４ｂが開口している形態から、一対の口金１６，１６を筒状体１２で簀巻き状に巻いて、巻物の長手方向に一回又は複数回折り畳むことに伴い、各口金１６が折り畳むように塑性変形される。これら口金１６，１６の塑性変形を利用して、処理袋１０を小さく畳んだ形状が維持される。
【００４２】
このような構造とされた処理袋１０は、図５に示される如き生ゴミ処理セット２０の一部を構成する。生ゴミ処理セット２０は、上述の処理袋１０と攪拌具２２と生ゴミ処理基材２４を含んで構成されている。
【００４３】
攪拌具２２は、細長のロッド形状を有する一対の棒材からなり、硬質の金属材や合成樹脂材、木材等の硬質材を用いて形成されている。特に本実施形態では、攪拌具２２の一方の端部から他方の端部に至る軸方向長さ：ｌが、筒状部１２の一方の開口部１４ａから他方の開口部１４ｂに至る軸方向長さ：Ｌの２／３倍よりも小さくされており、ｌ≦２／３とされている。
【００４４】
生ゴミ処理基材２４には、例えば、豚や牛、鶏等の家畜の糞尿に、わらや籾殻、おが粉（おが屑）等を混合した公知のものが採用されるが、好ましくは、本出願人が先に出願した特開２００５−１８６０００号の明細書や図面に示される如き糞尿処理基材が用いられる。即ち、本実施形態に係る生ゴミ処理基材２４は、木材を破砕して得られた木材破砕物と、樹皮を破砕して得られた樹皮破砕物と、曝気処理した豚及び／又は牛の糞尿を含んで構成されており、特に木材破砕物と樹皮破砕物の少なくとも一方が、細長比が２〜２０の細長形状を有している。この曝気処理した豚及び／又は牛の糞尿には、有用な好気性微生物が含まれている。また、細長比は、各破砕物における最大長さ寸法を最大幅寸法で割った値をいう。更に、上記木材の破砕物には、生木を破砕した生木粉砕物が含まれていることが望ましい。また、前記樹皮粉砕物は、その体積が、木材破砕物及び樹皮破砕物を含む木質破砕物の全体積の１／３以上とすることが望ましい。これにより、生ゴミ処理能力の更なる向上が図られ得る。
【００４５】
かかる生ゴミ処理基材２４は、生ゴミ処理セット２０の一部として処理袋１０や攪拌具２２と共に販売される際に、例えば図示しない通気性を有するケースに入れられることも可能であるが、図５にも示されるように、生ゴミ処理基材２４を収容する容器として、両側開口部１４ａ，１４ｂが閉塞せしめられた密閉状の処理袋１０を利用することが好ましい。それによって、好気性微生物に必要な酸素を確保するための通気性を有するケースを特別に用意する必要がなくなる。特に本実施形態では、両側開口部１４ａ，１４ｂが閉塞せしめられた処理袋１０の容積に対して、１／１０〜１／２倍の体積の生ゴミ処理基材２４が収容配置されている。
【００４６】
次に、上述の如き生ゴミ処理セット２０を用いて生ゴミを発酵分解処理する処理方法の一具体例について説明するが、本発明は、かかる具体例に限定されるものでない。
【００４７】
先ず、図２，６にも示されているように、処理袋１０の筒状体１２を、一方の開口部１４ａが開口し、且つ他方の開口部１４ｂが閉じた形態に保持せしめ、筒状体１２の閉じられた他方の開口部１４ｂ側を下にして、地面２６に載置する。ここで、口金１６の塑性変形に伴い小さく絞られた筒状体１２の他方の開口部１４ｂの端部の剛性が、口金１６が装着されていることで筒状体１２の開口部１４の周りの剛性よりも大きくされていることに基づいて、筒状体１２の他方の開口部１４ｂ側が地面に載置されることに伴い、他方の開口部１４ｂ側の端部が、その閉塞状態を保ったまま筒状体１２の内側にめり込むように変形せしめられる。
【００４８】
また、本実施形態では、目的とする生ゴミ２８の処理に際して、適量の生ゴミ処理基材２４がすぐに使える状態で筒状体１２内に収容配置されているため、処理袋１０を上述の如き形態で地面２６に載置することで、生ゴミ２８を処理袋１０にすぐに投入出来る状態となっているが、必要に応じて、生ゴミ２８を投入する前に、生ゴミ処理基材２４の全体を攪拌具２２等でならしたり、生ゴミ処理基材２４の量を適当に増減しても良い。
【００４９】
そして、図６中、上方に向かって開口する生ゴミ投入口としての筒状体１２の一方の開口部１４ａ側から生ゴミ２８を投入し、必要に応じて、一方の開口部１４ａ側から手作業で攪拌具２２を差し入れてかき混ぜることで、生ゴミ２８と生ゴミ処理基材２４を混合する。この攪拌作業は、生ゴミ２８が生ゴミ処理基材２４に対して多かったり、発酵分解処理の遅い生ゴミ２８が含まれている場合等に有効である。特に本実施形態では、生ゴミ投入口としての一方の開口部１４ａから２／３以下の深さまでを攪拌する。ここで、生ゴミ処理基材２４の底部側に向かう下半分が一方の開口部１４ａから２／３以上の深さに位置せしめられている。その結果、処理袋１０内に収容される生ゴミ処理基材２４の一方の開口部１４ａ側に向かう上半分と生ゴミ２８が混ざり合うように攪拌せしめる一方、生ゴミ処理基材２４の底部側に向かう下半分を攪拌しないようにしている。
【００５０】
なお、生ゴミ２８を投入して生ゴミ処理基材２４を攪拌するに際しては、筒状体１２の開口部から半分の深さ領域の全体までも攪拌する必要はなく、投入した生ゴミ２８が生ゴミ処理基材２４が覆われて隠れる程度に攪拌するだけでも充分である。また、生ゴミ２８を毎日少量ずつ投入して連日使用するような場合では、生ゴミ２８が、次第に開口部側に向けて積層されるように、例えば投入初日は深さ方向の略半分まで攪拌して、投入された生ゴミ２８を深さ方向の略半分の位置に埋没させると共に、日を追うごとに生ゴミ２８の埋没位置を開口部側の浅い領域に設定するように、攪拌深さを調節することも有効である。このような使用方法では、次第に深い処から生ゴミ２８が分解されて行くし、また古い生ゴミ２８が攪拌で表面に出て異臭を放つことも出来るだけ抑えることが可能となる。
【００５１】
また、生ゴミ２８を投入して生ゴミ２８と生ゴミ処理基材２４を混合した後には、図７にも示されるように、筒状体１２の一方の開口部１４ａも他方の開口部１４ｂと同様に、口金１６の塑性変形により閉塞状態が維持されるようになっている。これにより、密閉された処理袋１０のなかで生ゴミ２８の発酵分解処理を行う。ここで、発酵分解作用が早い生ゴミ２８は、新たな生ゴミ２８を投入する前に分解して消滅するが、発酵分解作用が遅い生ゴミ２８は、新たな生ゴミ２８と共に発酵分解される。
【００５２】
新たな生ゴミ２８や生ゴミ処理基材２４を投入するには、筒状体１２の一方の開口部１４ａ側の口金１６を塑性変形せしめて一方の開口部１４ａを開口状態に維持せしめ、再び一方の開口部１４ａから投入する。更に、生ゴミ処理基材２４の一方の開口部１４ａ側に向かう上半分と生ゴミ２８が混ざり合うように攪拌具２２で攪拌せしめ、必要に応じて、過去に投入した発酵分解途中の生ゴミ２８とも混ざり合うように攪拌せしめる。その後、筒状体１２の一方の開口部１４ａを口金１６の塑性変形により閉塞して、処理袋１０の中で新たな生ゴミ２８の発酵分解処理を行う。
【００５３】
而して、図６に示される如き一方の開口部１４ａの開口状態で、生ゴミ２８を投入すると共に、攪拌具２２で生ゴミ処理基材２４の上半分を攪拌する作業と、図７に示される如き生ゴミ２８を投入した後に、一方の開口部１４ａを閉塞状態に維持する作業を適数回繰り返す。
【００５４】
上述の作業を適数回繰り返すことで、所定の期間（例えば、最初に生ゴミ２８を投入した日から約二週間）が経過した後、図８にも示されているように、処理袋１０の両側開口部１４ａ，１４ｂを閉塞した状態で処理袋１０の天地方向を逆にして、一方の開口部１４ａ側を下にして、地面１６に載置する。これに伴い、処理袋１０内に収容配置された生ゴミ２８や生ゴミ処理基材２４の多くも、その天地方向が逆となり、処理袋１０内で生ゴミ２８および生ゴミ処理基材２４の上半分に位置せしめられていた部分が下半分に位置せしめられて一方の開口部１４ａ側の底部に載置されると共に、生ゴミ処理基材２４の下半分に位置せしめられていた部分が上半分に位置せしめられる。そこで、本実施形態では、生ゴミ２８と生ゴミ処理基材２４の攪拌が上半分で行われていたことから、この天地返しによって、攪拌していない略未使用状態の生ゴミ処理基材２４が他方の開口部１４ｂ側に位置せしめられる一方、生ゴミ２８と攪拌された生ゴミ処理基材２４が処理袋１０の底部側に位置せしめられる。
【００５５】
そして、図９にも示されているように、他方の開口部１４ｂ側の口金１６を塑性変形して他方の開口部１４ｂを開口状態に維持することで、生ゴミ投入口とする。この他方の開口部１４ｂから新たに生ゴミ２８を投入し、必要に応じて、他方の開口部１４ｂ側から手作業で攪拌具２２を差し入れてかき混ぜることで、生ゴミ２８と生ゴミ処理基材２４を混合する。ここでの攪拌作業も、前述の天地返しをする前の攪拌作業と同様に、処理袋１０内に収容される生ゴミ処理基材２４の他方の開口部１４ｂ側に向かう上半分と生ゴミ２８が混ざり合うように攪拌せしめる一方、生ゴミ処理基材２４の底部側に向かう下半分を攪拌しないようにしている。即ち、天地返しをする前に、生ゴミ２８と共に攪拌して使用されていた生ゴミ処理基材２４を、処理袋１０の底部側で攪拌処理せずに静置する一方、天地返しをする前に略未使用状態だった生ゴミ処理基材２４を、此度の天地返しによって生ゴミ２４と混合する。
【００５６】
而して、図９に示される如き他方の開口部１４ｂの開口状態で、生ゴミ２８を投入すると共に、攪拌具２２で生ゴミ処理基材２４の上半分を攪拌する作業と、図７に示される作業と同様に、生ゴミ２８を投入した後に、他方の開口部１４ｂを閉塞状態に維持する作業を適数回繰り返す。これらの作業を適数回繰り返すことで、所定の期間（例えば、処理袋１０の天地返しをして生ゴミ２８を投入した日から約二週間）が経過した後、図８に示される作業と同様に、処理袋１０の両側開口部１４ａ，１４ｂを閉塞した状態で処理袋１０の天地方向を逆にして、再び他方の開口部１４ｂ側を下にして地面１６に載置すると共に、一方の開口部１４ａを開いて生ゴミ投入口として使用する。而して、図６に示される如き一方の開口部１４ａの開口状態で、生ゴミ２８を投入すると共に、攪拌具２２で生ゴミ処理基材２４の上半分を攪拌する作業と、図７に示される如き生ゴミ２８を投入した後に、一方の開口部１４ａを閉塞状態に維持する作業を適数回繰り返す。
【００５７】
生ゴミ２８と共に攪拌された生ゴミ処理基材２４は、生ゴミ２８を発酵分解して消滅させた後にも、微生物が有効に生息することから、再び生ゴミ処理基材２４として繰り返し使用することが可能である。しかし、使用し続けると、使用条件や環境の変化等によって微生物の数が減る場合も考えられることから、使用済みの生ゴミ処理基材２４の一部または全部を、所定の期間（例えば、三ヶ月や半年）毎に取り出して、代わりに新品の生ゴミ処理基材２４を投入しても良い。この使用済みの生ゴミ処理基材２４は、堆肥として利用することが出来、不要であれば可燃ごみとして処理することも可能である。
【００５８】
すなわち、本実施形態に係る生ゴミの処理方法によれば、所定の期間毎に処理袋１０の天地方向を逆にして、処理袋１０における一方の開口部１４ａと他方の開口部１４ｂをそれぞれ生ゴミ投入口として生ゴミ２８を投入する作業を適数回繰り返すと共に、天地方向で上側半分の生ゴミ処理基材２４だけを攪拌する。その結果、生ゴミ２８と混合していない新しい生ゴミ処理基材２４や、生ゴミ２８と混合して生ゴミ２８を発酵分解処理した後に処理袋１０内で養生された生ゴミ処理基材２４を、生ゴミ２８と効率良く接触させることが出来、多くの好気性微生物が付着された生ゴミ処理基材２４の発酵分解作用により、比較的に短期間で生ゴミ２８の発酵分解処理が実現され得る。
【００５９】
そこにおいて、上述の如き構造とされた処理袋１０では、両側開口部１４ａ，１４ｂに口金１６が装着されて、両側開口部１４ａ，１４ｂが口金１６により任意の形状に塑性変形可能とされている。これにより、生ゴミ２８等の投入に際して生ゴミ投入口となる開口部１４ａ（１４ｂ）を大きく開口した状態に維持せしめて、処理袋１０を片手で保持し、且つもう片方の手で生ゴミ２８や生ゴミ処理基材２４を処理袋１０に投入したり、或いは攪拌具２２を差し入れてかき混ぜることが出来る。なお、生ゴミ２８や生ゴミ処理基材２４の収容状態で筒状体１２が自立可能な素材で形成されている場合には、処理袋１０を手で保持せずに、開口状態を維持した開口部１４から生ゴミ２８等を投入することも可能である。
【００６０】
また、攪拌具２２で生ゴミ処理基材２８を攪拌する際に、処理袋１０の開口部１４が口金１６の塑性変形によって大きく開いた状態に保持されていることから、処理袋１０の内側で攪拌具２２を動かすスペースが大きく確保されることとなり、所望の攪拌処理が実現される。
【００６１】
しかも、口金１６の装着による開口部１４の形状安定性に基づいて、例えば、攪拌具２２が処理袋１０の筒状体１２に触れた程度の小さな外力では、開口部１４の変形が抑えられることから、攪拌作業の安全が図られる。
【００６２】
それ故、本実施形態に係る処理袋１０を備えた生ゴミ処理セット２０によれば、生ゴミ２８の発酵分解処理を効率良く且つ安全に行うことが出来る。
【００６３】
また、特に上述の生ゴミ処理セット２０においては、攪拌具２２の軸方向長さ：ｌが処理袋１０の軸方向長さ：Ｌの２／３以下とされていることにより、攪拌具２２を用いた生ゴミ処理基材２４の攪拌作業に際して、生ゴミ投入口１４ａ（１４ｂ）から２／３よりも深い底部付近の攪拌がされ難くなっている。換言すれば、攪拌具２２の軸方向長さ：ｌが処理袋１０の軸方向長さ：Ｌに比して小さくされていることから、処理袋１０の生ゴミ投入口から底部までの攪拌がされ難くなっている一方、生ゴミ投入口に近い側の攪拌がされ易くなっている。その結果、処理袋１０内に収容される生ゴミ処理基材２４の生ゴミ投入口１４側に向かう上半分と生ゴミ２８との攪拌が少ない労力で実現されることに加え、生ゴミ処理基材２４の底部側に向かう下半分の攪拌が抑えられることによって、処理袋１０を天地返しした際に生ゴミ２８と新たに混合する処理基材として下半分の生ゴミ処理基材２４をとっておくことが出来る。
【００６４】
ところで、本実施形態に係る処理袋１０の特徴は、不透水性で通気性を有する筒状体１２の両側開口部１４ａ，１４ｂに対して、手作業で塑性変形可能な口金１６，１６がそれぞれ装着されており、筒状体１２の一方の開口部１４ａ（１４ｂ）を閉塞して内部に生ゴミ処理基材２４を収容させた状態下で他方の開口部１４ｂ（１４ａ）を口金１６で開口状態に維持させて生ゴミ投入口とすることができることにある。従って、処理袋１０で処理される物質には、必ずしも生ゴミ２８だけに限定されるものでなく、かかる生ゴミ２８の他、生ゴミ投入口から処理袋１０に投入されて、処理袋１０内で生ゴミ処理基材２４に付着した好気性微生物により発酵分解処理される各種の有機系廃棄物が採用可能である。
【００６５】
具体的に、例えば、生ゴミ２８に代えて、ペット等の動物糞を処理袋１０内で分解処理しても良い。このような動物糞の分解処理に際しては、例えば、前述の生ゴミ２８の処理方法と同様に、動物糞を生ゴミ投入口から投入して攪拌具２２を用いて生ゴミ処理基材２４と攪拌した後に、新たな動物糞を投入して攪拌する作業を適数回繰り返し、動物糞の投入量にかかわらず所定の期間を経たら処理袋１０の天地返しを行って、処理袋１０の底部であった開口部を開いて生ゴミ投入口とし、天地返しを行う前の投入、攪拌作業を同様に適数回繰り返すことで、新旧の動物糞を継続的に処理袋１０内で分解処理させることも可能である。かかる態様において、生ゴミ処理基材２４は、必要に応じて処理袋１０に投入される。
【００６６】
また、動物糞を分解処理する別の方法として、例えば、動物糞を生ゴミ投入口から投入して生ゴミ処理基材２４に載置したら、かかる動物糞が隠れて見えなくなる程度に生ゴミ投入口から生ゴミ処理基材２４を投入し、またその生ゴミ処理基材２４に載置した新たな動物糞を上から覆い隠すように生ゴミ処理基材２４を投入することで、各動物糞が天地方向で生ゴミ処理基材２４に挟まれるようにして、処理袋１０内で動物糞と生ゴミ処理基材２４を積層状に収容することも可能である。そして、処理袋１０の底部から動物糞と生ゴミ処理基材２４の積層物をためていき、処理袋１０の半分程の深さになったら処理袋１０を反転（天地返し）させて、底部であった開口部を開いて生ゴミ投入口とし、また動物糞と生ゴミ処理基材２４を積層状に投入しても良い。このような動物糞の処理方法では、天地返しを利用して、処理袋１０の底部にあった初日に投入したものが開口部側に位置せしめられ、且つ一番新しく投入した開口部側にあったものが底部側に位置せしめられることから、新しく投入した動物糞の悪臭を有利に抑えることが出来る。また、多少掻き混ぜても、新しい糞が上に露出することが抑えられることに加え、動物糞が生ゴミ処理基材２４を挟んで積層状に収容されていることから、更なる悪臭防止効果が図られ得る。
【００６７】
なお、動物糞の処理物や使用済みの生ゴミ処理基材２４は、堆肥として利用することが出来、不要であれば可燃ごみとして処理することも可能である。また、動物糞が生ゴミ処理基材２４で挟まれることから、攪拌作業を省略または必要最小限にしても良い。また、上述の如き積層方法による動物糞の処理方法は、同様に、前述の生ゴミの処理方法にも適用可能であり有効である。
【００６８】
また、本実施形態に係る処理袋１０を、例えば災害時の簡易トイレとして使用することも可能である。具体的に、例えば庭や野原、山中等に穴を掘り、そこに処理袋１０を設置する。処理袋１０の上部開口を口金１６で開口状態に維持して用を足す。用を足したら、糞尿を攪拌具２２等で攪拌せしめたり、或いは前述の積層方法による動物糞の処理方法と同様に、糞尿を覆い隠すように生ゴミ処理基材２４を投入し、またその上から用を足して生ゴミ処理基材２４を投入することで、糞尿と生ゴミ処理基材２４を積層状態にする。それによって、人の糞尿も処理袋１０内で分解処理せしめることが出来る。その際、処理袋１０が底部側の開口が閉塞せしめられた袋状体とされていることから、適当な時期で処理袋１０を穴から取り出して、糞尿の処理物や使用済みの処理基材２４を処理することが容易となる。更に、本実施形態に係る処理袋１０は、両側端部が開閉可能とされていることから、前述の生ゴミやペット等の動物糞の処理方法と同様に、適当な期間で処理袋１０を反転させて使用すれば、生ゴミ処理基材２４を殆ど捨てることなく効率的に且つ長期間に亘って、人糞を分解処理することが可能となるのである。
【００６９】
あるいは、簡易的に、木製の台や箱等を作って本実施形態に係る処理袋１０を下方に設置して、簡易トイレを構成することも可能である。このような構造とすることで、可搬式のトイレを容易に且つ安価に、軽量に製造することが出来る。また、処理基材２４を入れた処理袋１０は、トイレ躯体と別途に搬送することが出来る。また、タンク式の従来の簡易トイレに比して、分解処理する基材２４を備えていることから、廃棄物の量が激減することに加え、悪臭の対策効果も有利となる。
【００７０】
次に、図１０，１１には、本発明の生ゴミ処理用袋状体に係る第二の実施形態としての処理袋３０が示されている。以下の説明において、前記第一の実施形態と実質的に同一の構造とされた部材および部位については、第一の実施形態と同一の符号を付することにより、それらの詳細な説明を省略する。
【００７１】
詳細には、筒状体１２の外周面において、開口部１４よりも本体側（図１０，１１では、上から下）に所定距離だけ離れた位置で周方向に連続して延びる目視可能なライン３２が表示されている。本実施形態では、開口部１４とライン３２の離隔距離が比較的に短くされていることによって、ライン３２が筒状体１２の開口部１４付近に設けられている。
【００７２】
このようなライン３２を備えた筒状体１２においては、例えば、第一の実施形態と同様に、筒状体１２の開口部１４の縁部において、中心軸を挟んだ一幅方向で対向位置せしめられる二箇所を折り曲げて、縁部の内側が重なり合うように口金１６を塑性変形させると共に、開口部１４の重なり合った縁部が略直線状に延びる方向で複数回折り畳むように口金１６を塑性変形させたり、或いは渦巻き状に湾曲するように塑性変形させたりすることで、筒状体１２の開口部１４が、絞り込まれるようにして閉塞状態が維持される。
【００７３】
このように筒状体１２の開口部１４が閉塞される際に、開口部１４付近の筒状体１２が絞られるように変形されることに伴い、開口部１４付近に設けられたライン３２が、周方向で小さく折り畳まれているが、周方向に連続して延びる形態は保持されている。このライン３２を目印として、締付紐３４がライン３２に沿って配されて、周方向で結び付けられている。即ち、筒状体１２の中央側（本体側）と開口部１４の間において、開口部側に偏倚した部分が、締付紐３４で縛られている。この締付紐３４は、合成樹脂製乃至は天然樹脂製のロープ材等で形成されており、好ましくは耐久性があって且つ耐食性の高い素材で形成される。かかる締付紐３４は、例えば第一の実施形態に示される生ゴミ処理セット２０の一部を構成して、処理袋３０（１０）や攪拌具２２、生ゴミ処理基材２４等と共に販売されても良いし、或いは生ゴミ処理セット２０のオプション品として単独で売られても良い。
【００７４】
本実施形態に従う構造とされた処理袋３０においては、前記第一の実施形態と同様に、開口部１４に装着された口金１６の塑性変形を利用して、開口部１４が任意の形状に塑性変形可能とされていることから、生ゴミ２８の投入や攪拌具２２のかき混ぜに際して、開口部１４を大きく開いた状態に保持したり、或いは開口部１４を密閉状に閉じた状態に保持することが可能となって、生ゴミ２８を発酵分解処理する際の作業効率が向上され得る。
【００７５】
しかも、本実施形態では、開口部１４の閉塞状態下、筒状体１２の開口部１４付近が締付紐３４で縛られていることで、開口部１４の閉塞状態が容易に解除され難くなっている。それ故、開口部１４が一層安定して閉塞状態に保持されて、処理袋３０の取り扱い性が一層向上され得る。
【００７６】
また、特に本実施形態では、締付紐３４の筒状部１２での締付け位置を表示するライン３２が設けられていることから、締付紐３４が筒状部１２の本体側に必要以上に寄ることに起因して処理袋３０における生ゴミ２８の収容スペースを著しく制限したり、締付紐３４が筒状部１２の開口部１４側に必要以上に寄ることに起因して締付紐３４が筒状体１２に安定して締付けられ難くなったりすることが防止され得る。
【００７７】
次に、図１２，１３には、本発明の生ゴミ処理用袋状体に係る第三の実施形態としての処理袋４０が示されている。
【００７８】
詳細には、本実施形態に係る筒状体１２が、両側開口部１４の開口状態で略矩形筒状を有しており、この開口部１４の内周面に沿って口金１６が装着されることにいより、本実施形態に係る口金１６が、略矩形環状を有している。
【００７９】
筒状体１２の中心軸を挟んだ一方向で対向位置せしめられた一方の壁部の外周面には、筒状体１２の開口部１４よりも所定距離だけ離れた位置において、複数（本実施形態では、一対）の固定バンド４２が設けられている。固定バンド４２は、筒状部１２と同じ素材で形成されて、筒状部１２の軸方向に延びる変形容易な帯状を呈しており、その一方の端部が筒状部１２の本体側に固定されていると共に、筒状体１２の開口部１４側に向かう他方の端部には、ボタン止め部４４が設けられている。
【００８０】
筒状体１２において固定バンド４２が設けられたのと反対側の他方の壁部の外周面には、筒状体１２の開口部１４よりも所定距離だけ離れた位置において、固定バンド４２のボタン止め具４４に対応する形状及び数（本実施形態では、一対）のボタン受け具４６が固設されている。
【００８１】
このような筒状体１２の開口部１４を閉塞するには、固定バンド４２やボタン止め具４６が設けられた壁部の対向方向に直交する方向（図１２中、左右）で対向位置せしめられた壁部の上端に位置せしめられる口金１６を、その長手方向の略中央部分から筒状体１２の内側に向かって折り曲げるように塑性変形させると共に、固定バンド４２やボタン受け具４６が設けられた壁部の開口端部の内周面を互いに重ね合わせるように口金１６を塑性変形させる。これにより口金１６を折り畳むように塑性変形させる。そして、折り畳んだ口金１６を筒状体１２の開口部１４側から本体側に向かって筒状体１２で簀巻き状に巻くと共に、筒状体１２の外周面に設けられた固定用バンド４２の先端部分の各ボタン止め具４４を各ボタン受け具４６に係止させる。
【００８２】
これにより、筒状体１２の開口部１４が、口金１６の塑性変形により閉塞状態に維持されていると共に、簀巻き状に変形せしめられた筒状体１２の開口部１４の形状が、ボタン止め具４４とボタン受け具４６の係止作用により保持されている。
【００８３】
本実施形態に従う構造とされた処理袋４０においては、前記第一の実施形態や第二の実施形態と同様に、開口部１４に装着された口金１６の塑性変形を利用して、開口部１４が任意の形状に塑性変形可能とされていることから、生ゴミ２８の投入や攪拌具２２のかき混ぜに際して、開口部１４を大きく開いた状態に保持したり、或いは開口部１４を密閉状に閉じた状態に保持することが可能となって、生ゴミ２８を発酵分解処理する際の作業効率が向上され得る。
【００８４】
特に本実施形態に示されるように、矩形筒状を有する筒状体１２に対しても口金１６の塑性変形によって、開口部１４の開口状態や閉塞状態を任意に設定することが出来る。
【００８５】
また、本実施形態では、簀巻き状に変形せしめられて筒状体１２の開口部１４が閉じられるようになっていると共に、筒状体１２の簀巻き形状がボタン止め具４４とボタン受け具４６の係止作用により保持されていることから、開口部１４の閉塞状態が一層確実となり、処理袋４０の取り扱い性の更なる向上が図られ得る。
【００８６】
以上、本発明の実施形態について詳述してきたが、これら実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは、言うまでもない。
【００８７】
例えば、処理袋１０，２０，４０や攪拌具２２、生ゴミ処理基材２４等における形状や大きさ、構造等は例示の如きものに限定されない。
【００８８】
前記第二の実施形態に示されていたライン３２や締付紐３４、前記第三の実施形態に示されていたボタン止め具４４を備えた固定用バンド４２やボタン受け具４６等は、必須の構成要件でない。
【００８９】
前記第二の実施形態に示されていたラインを、例えば生ゴミ投入口から投入せしめられる生ゴミ乃至は生ゴミ処理基材の上限を示す、収容制限ラインとして、筒状体の内周面または外周面に設けることも可能である。
【００９０】
また、前記実施形態では、口金１６が周方向に連続して延びていたが、周方向で複数に分断された状態で、筒状体に装着されるようにしても良い。
【００９１】
さらに、前記実施形態では、口金１６が筒状体１２の各開口部１４に一つ設けられていたが、各開口部に複数条設けられていても良い。この複数条に設けられる形態には、例えば、周方向に連続して延びる環状の口金が筒状体の軸方向に複数配設されていたり、一つの口金が筒状体を螺旋状に巻いている形態等を含む。
【図面の簡単な説明】
【００９２】
【図１】本発明の第一の実施形態としての処理袋の斜視説明図。
【図２】図１に示された処理袋の下側開口部を閉じた状態を示す斜視説明図。
【図３】図１に示された処理袋の上下開口部を閉じた状態を示す斜視説明図。
【図４】図１に示された処理袋の一収納状態を示す斜視説明図。
【図５】図１に示された処理袋の利用状態を説明するための斜視説明図。
【図６】図１に示された処理袋を用いた生ゴミの処理方法の一工程を示す斜視説明図。
【図７】図１に示された処理袋を用いた生ゴミの処理方法の図６と異なる一工程を示す斜視説明図。
【図８】図１に示された処理袋を用いた生ゴミの処理方法の図６，７と異なる一工程を示す斜視説明図。
【図９】図１に示された処理袋を用いた生ゴミの処理方法の図６〜８と異なる一工程を示す斜視説明図。
【図１０】本発明の第二の実施形態としての処理袋の要部を示す斜視説明図。
【図１１】図１０に示された処理袋の上側開口部を閉じた状態を示す斜視説明図。
【図１２】本発明の第三の実施形態としての処理袋の要部を示す斜視説明図。
【図１３】図１２に示された処理袋の上側開口部を閉じた状態を示す斜視説明図。
【符号の説明】
【００９３】
１０：処理袋、１２：筒状体、１４ａ：一方の開口部、１４ｂ：他方の開口部、１６：口金、２４：生ゴミ処理基材
【図１】
2009112898.tif 000003
【図２】
2009112898.tif 000004
【図３】
2009112898.tif 000005
【図４】
2009112898.tif 000006
【図５】
2009112898.tif 000007
【図６】
2009112898.tif 000008
【図７】
2009112898.tif 000009
【図８】
2009112898.tif 000010
【図９】
2009112898.tif 000011
【図１０】
2009112898.tif 000012
【図１１】
2009112898.tif 000013
【図１２】
2009112898.tif 000014
【図１３】
2009112898.tif 000015